(57)【要約】【課題】汎用性のある基地局用空中線支持装置を提供する。【解決手段】空中線支持装置４は、コンクリートポール３へ固定するベース金具８と、空中線支持リング９と、空中線取付けブラケット１０とによって構成されている。ベース金具８へボルト締めされる空中線支持リング９は、一定の角度間隔でボルト穴が形成されていて、所望の位置へ空中線取付けブラケット１０を取付けることができる。コリニア型空中線５にネジ軸１１を取付け、ネジ軸１１を空中線取付けブラケット１０の穴へ挿通してナットで固定する。空中線取付けブラケット１０は水平方向へ回転することができ、空中線５の方位角を適宜調節することができる。空中線の本数や取付け間隔、方位角などの相違に柔軟に対応できるので、支持部品の個別設計が不要となり施工能率が向上する。【選択図】  図２
2005026839.tif 000002
【特許請求の範囲】
【請求項１】
コンクリートポール型基地局に用いる空中線支持装置であって、コンクリートポールの外周面に装着されるベース金具と、ベース金具の上面に結合されコンクリートポールからフランジ状に張出す円板形の空中線支持リングと、空中線支持リング上に取付けられるＬ形の空中線取付けブラケットとからなり、前記空中線取付けブラケットへ空中線を連結するように構成するとともに、前記空中線支持リングに一定角度間隔で複数のボルト穴を同心円上に配列し、ボルトとナットを用いて任意の角度位置へ前記空中線取付けブラケットを取付け可能、且つ空中線取付けブラケットの水平方向回転角度を調節自在とした空中線支持装置。
【請求項２】
上記ベース金具と空中線支持リングと空中線取付けブラケットとからなる一対の空中線支持装置をコンクリートポールの上部に上下間隔をあけて装着し、上下一対の空中線支持装置により縦型ダイバーシティアンテナ或いは縦型コリニアアレイアンテナなどの縦型空中線の上下二箇所を支持するように構成した請求項１記載の空中線支持装置。
【請求項３】
上記ベース金具と空中線支持リングと空中線取付けブラケットとからなる空中線支持装置であって、コンクリートポールの上端部に上記ベース金具を装着し、上記ベース金具に上記空中線支持リングおよび空中線取付けブラケットを取り付けるとともに、上記空中線支持リング上に複数の支柱を立設し、支柱上に二枚目の空中線支持リングおよび空中線取付けブラケットを取付けて井筒形ステージを構成した請求項１記載の空中線支持装置。
【請求項４】
上記Ｌ形の空中線取付けブラケットの水平面部に、空中線支持リングのボルト穴に対応する中心ボルト穴と、中心ボルト穴を回転中心とする円弧状ボルト穴を形成し、二組のボルト及びナットによって空中線支持リングに取付け、且つ中心ボルト穴を回転中心として回転角度を自在に調節及び固定できるようにした請求項１，  ２または３記載の空中線支持装置。
【請求項５】
上記Ｌ形の空中線取付けブラケットの垂直面部にボルト穴を形成し、空中線の側面に水平方向のネジ軸を設け、ネジ軸を前記垂直面部のボルト穴へ挿入し、ナットを前記ネジ軸へねじこんで空中線を空中線取付けブラケットへ固定できるようにした請求項１，  ２，  ３または４記載の空中線支持装置。
【発明の詳細な説明】
【０００１】
【発明の属する技術分野】
この発明は、空中線支持装置に関するものであり、特に、携帯電話やパーソナルハンディフォンシステム（ＰＨＳ）などの基地局の空中線支持装置に関するものである。
【０００２】
【従来の技術】
携帯電話やＰＨＳなどの通信システムの基地局の一つの形態としてコンクリートポール型基地局がある。コンクリートポール型基地局における空中線の取付け方式は種々のものがあり、一つにはコンクリートポールの外周面に空中線支持金物を取り付け、空中線支持金物に設けたブラケットに縦長の空中線を取り付けたものがある。
【０００３】
また、アングル鋼やＨ形鋼などを円形にロール加工してリング状骨組みを形成した円輪盤状部材をコンクリートポールの上部に上下二枚取付け、下側の円輪盤状部材上にエキスパンドメタル等を敷設して井筒形ステージを構成し、上下二枚の円輪盤状部材の外周に空中線取付け用の支持管を取付け、支持管に空中線を取付けた空中線支持装置など種々の形態のものがあるが、その殆どが要求仕様に合わせて個別に設計したものである。
【０００４】
【発明が解決しようとする課題】
携帯電話やＰＨＳなどの通信システムの基地局の仕様（空中線の本数や水平面上の方位角など）は個別に異なるので、コンクリートポール型基地局における空中線の取付け方式は画一化されておらず、殆どが要求に合わせた単品製作部品によって構成されていて、部品点数も多くコスト高となっている。
【０００５】
そこで、少ない部品点数で空中線の本数や水平面上の方位角度などが異なる種々の要求仕様に柔軟に対応できる空中線支持装置を提供するために解決すべき技術的課題が生じてくるのであり、本発明は上記課題を解決することを目的とする。
【０００６】
【課題を解決するための手段】
この発明は、上記目的を達成するために提案するものであり、コンクリートポール型基地局に用いる空中線支持装置であって、コンクリートポールの外周面に装着されるベース金具と、ベース金具の上面に結合されコンクリートポールからフランジ状に張出す円板形の空中線支持リングと、空中線支持リングに取付けられるＬ形の空中線取付けブラケットとからなり、前記空中線取付けブラケットへ空中線を連結するように構成するとともに、前記空中線支持リングに一定角度間隔で複数のボルト穴を同心円上に配列し、ボルトとナットを用いて任意の角度位置へ前記空中線取付けブラケットを取付け可能、且つ空中線取付けブラケットの水平方向回転角度を調節自在とした空中線支持装置を提供するものである。
【０００７】
また、上記ベース金具と空中線支持リングと空中線取付けブラケットとからなる一対の空中線支持装置をコンクリートポールの上部に上下間隔をあけて装着し、上下一対の空中線支持装置により、縦型ダイバーシティアンテナ或いは縦型コリニアアレイアンテナなどの縦型空中線の上下二箇所を支持するように構成した空中線支持装置を提供するものである。
【０００８】
また、上記ベース金具と空中線支持リングと空中線取付けブラケットとからなる空中線支持装置であって、コンクリートポールの上端部に上記ベース金具を装着し、上記ベース金具に上記空中線支持リングおよび空中線取付けブラケットを取り付けるとともに、上記空中線支持リング上に複数の支柱を立設し、支柱上に二枚目の空中線支持リングおよび空中線取付けブラケットを取付けて井筒形ステージを構成した空中線支持装置を提供するものである。
【０００９】
また、上記Ｌ形の空中線取付けブラケットの水平面部に、空中線支持リングのボルト穴に対応する中心ボルト穴と、中心ボルト穴を回転中心とする円弧状ボルト穴を形成し、二組のボルト及びナットによって空中線支持リングに取付け、且つ中心ボルト穴を回転中心として回転角度を自在に調節及び固定できるようにした空中線支持装置を提供するものである。
【００１０】
また、上記Ｌ形の空中線取付けブラケットの垂直面部にボルト穴を形成し、空中線の側面に水平方向のネジ軸を設け、ネジ軸を前記垂直面部のボルト穴へ挿入し、ナットを前記ネジ軸へねじこんで空中線を空中線取付けブラケットへ固定できるようにした空中線支持装置を提供するものである。
【００１１】
【発明の実施の形態】
以下、この発明の実施の一形態を図に従って詳述する。図１はコンクリートポール型基地局１を示し、基礎体２を地中へ鉛直に建て込み、基礎体２上にコンクリートポール３をボルトで接合して直立姿勢に固定している。コンクリートポール３の上部には上下で対をなす空中線支持装置４が取付けられていて、レドームに二段コリニアアンテナを収納した空中線５を上下一対の空中線支持装置４にて支持している。６は作業員昇降用のステップポールであり、上側の空中線支持装置４には避雷針７が取付けられている。
【００１２】
図２乃至図４は空中線支持装置４を示し、主要構成部材はベース金具８、空中線支持リング９、空中線取付けブラケット１０である。図４に示すように、ベース金具８は、コンクリートポール３の外周面に二点で接するように形成された円弧形の金具であって、コンクリートポール３を挟んで二個のベース金具８を向き合わせ、二個のベース金具８の両端部をボルトＢとナットＮとにより結合してコンクリートポール３へ固定する。
【００１３】
図３に示すように、ベース金具８の上面に取付けられている空中線支持リング９は、コンクリートポール３の直径よりも大きい中心穴を形成した円板であり、中心穴をコンクリートポール３が貫通する形でベース金具８の上面に載っている。ベース金具８の上面には、図３及び図４において左右方向へ延びるタブ部８ａが形成されていて、図４に示すように、タブ部８ａには左右へ長いボルト穴８ｂを設けてあり、空中線支持リング９の内周側に配列した四個の連結用ボルト穴９ａとベース金具８の上面の細長形ボルト穴８ｂとを位置合わせしてボルトＢとナットＮにより両者を結合している。
【００１４】
コンクリートポール３は下端から上端にかけて直径がやや減少する先細り形状に形成されており、コンクリートポール３への取付け高さによって一対のベース金具８の対向間隔が相違するが、ベース金具８のボルト穴８ｂが長穴であるので、取付け高さにかかわらず空中線支持リング９の連結用ボルト穴９ａとベース金具８のボルト穴８ｂとを位置合わせすることができる。
【００１５】
図４に示すように、空中線支持リング９の外縁近傍には、多数のボルト穴９ｂが一定間隔で放射状に配列されており、ボルト穴９ｂを利用してＬ形の空中線取付けブラケット１０を取付けている。
【００１６】
図５に示すように、Ｌ形の空中線取付けブラケット１０の水平面部には、回動中心となる中心ボルト穴１０ａと、中心ボルト穴１０ａを回転中心としてほぼ９０度の円弧をなす円弧形ボルト穴１０ｂが形成されており、垂直面部には図３に示すように縦長のボルト穴１０ｃが形成されている。図５に示す中心ボルト穴１０ａと円弧形ボルト穴１０ｂの中心間ピッチは、空中線支持リング９の外縁部に配列したボルト穴９ｂの中心間ピッチと同一であり、空中線取付けブラケット１０は空中線支持リング９の外縁部のボルト穴９ｂに二組のボルトとナットにて取付けられる。
【００１７】
図４に示すように、空中線取付けブラケット１０はボルトとナットを緩めれば中心ボルト穴１０ａを回転中心として水平方向へ回転することができ、空中線５を所望の角度に調節した後に二組のボルトとナットを締付けて固定する。
【００１８】
図２に示すように、コリニア式円柱形の空中線５には、外周面の上下二箇所から水平方向へ延びるネジ軸１１を設けており、図５に示すようにネジ軸１１を空中線取付けブラケット１０の垂直面部のボルト穴１０ｃへ挿入し、ネジ軸１１へ取付けた二個のナットＮにて空中線取付けブラケット１０の垂直面部を挟圧して固定する。空中線支持リング９には、全周に亘ってボルト穴９ｂが一定間隔で配列されているので、空中線５の本数や方角などの空中線仕様に合わせて適切な位置に任意の数の空中線取付けブラケット１０を取付けることができ、さらに空中線５のネジ軸１１の空中線取付けブラケット１０に対する挿入量及び空中線取付けブラケット１０の水平方向の角度を変えて、コンクリートポール３と空中線５の間隔及びコンクリートポール３に対する空中線５の取付方位角度等、即ち空中線５の絶対位置を自在に調節することができる。
【００１９】
図６及び図７は他の実施形態を示し、二つの空中線支持リング９を用いてコンクリートポール３の頂部に井筒形の空中線支持装置２１を形成したものである。図６に示すように、上下二つの空中線支持リング９は、９０度間隔で配列した四本の支柱２２にて結合されており、下側の空中線支持リング９は、コンクリートポール３の上端部へボルトによって結合した円板型のベース金具２３にボルト締めされている。
【００２０】
空中線取付けブラケット１０を用いた空中線支持構造は、図１乃至図５の例と同様であるが、図６の場合は、上下二つの空中線支持リング９の間が空間であるので、下側の空中線支持リング９及びベース金具１３を作業ステージとし、上側の空中線支持リング９を手摺りとして安全に空中線の調整作業を行うことができ、先の実施形態よりも作業性が良好である。また、コンクリートポール３の頂部に空中線支持装置２１を搭載する形態であるので、コンクリートポール３自体の高さが減ずることになり、コンクリートポールのコストも低下する。また、井筒形の空中線支持装置２１を地上で組上げて空中線５や避雷針７を組付け、クレーンで吊り上げてコンクリートポール３の頂部へ取付けることができ、建設作業も簡易化する。
【００２１】
このように、本発明の空中線支持装置は、あらゆるコンクリートポール形基地局仕様に対応できる高い汎用性を有しているので、コンクリートポール形基地局における空中線支持装置の標準品とすることができ、また、特別に空中線支持管などを用いることなく空中線を取付ける構造であるから外観の見栄えがよく、部品点数も減少してコストが著しく削減される。
【００２２】
尚、この発明は上記の実施形態に限定するものではなく、この発明の技術的範囲内において種々の改変が可能であり、この発明がそれらの改変されたものに及ぶことは当然である。
【００２３】
【発明の効果】
以上説明したように、本発明の空中線支持装置は、コンクリートポールの外周面に装着されるベース金具と、ベース金具の上面に結合されコンクリートポールからフランジ状に張出す円板形の空中線支持リングと、空中線支持リングに取付けられるＬ形の空中線取付けブラケットとからなり、部品点数が少なく、コンクリートポールへの組付けが容易であり、空中線の取付け本数や取付け方位角などの種々の要求仕様に柔軟に対応できるので、空中線支持構造を標準化することができてコストの削減や工期の短縮という効果を発揮する。また、空中線支持リングに同心円上に配列した複数のボルト穴のうちで、空中線取付けに使用しないボルト穴には避雷針やその他の付属品をボルトとナットで取り付けることができ、避雷針やその他の付属品の取付けにあたって特別な部品は不要となる。
【００２４】
また、コンクリートポールの上端部に上記ベース金具を装着し、上記ベース金具に上記空中線支持リングおよび空中線取付けブラケット装置を取付けるとともに、空中線支持リング上に複数の支柱を立設し、支柱上に二枚目の空中線支持リングおよび空中線取付けブラケットを取付けて井筒形ステージを構成することにより、下側の空中線支持リングを作業ステージとし、上側の空中線支持リングを手摺りとして安全に空中線の調整作業を行うことができる。
【００２５】
また、上記Ｌ形の空中線取付けブラケットの水平面部に、空中線支持リングのボルト穴に対応する中心ボルト穴と、中心ボルト穴を中心とする円弧状ボルト穴を形成し、二組のボルト及びナットによって空中線支持リングに取付けることにより、空中線の方位角を広い範囲で調節できる。
【００２６】
また、上記Ｌ形の空中線取付けブラケットの垂直面部にボルト穴を形成し、空中線の側面に設けたネジ軸をボルト穴へ挿入してナットで固定するように構成することにより、空中線支持管などの別部品が不要となり、コストが削減されるとともに外観の見栄えもよくなる。
【図面の簡単な説明】
【図１】本発明の実施の一形態を示し、（ａ）はコンクリートポール型基地局の上端の平面図、（ｂ）は正面図である。
【図２】コンクリートポール型基地局の上部の正面図。
【図３】空中線支持装置の正面図。
【図４】空中線支持装置の平面図。
【図５】空中線取付けブラケットを示し、（ａ）は平面図、（ｂ）は側面図である。
【図６】他の実施形態を示し、空中線支持装置の正面図。
【図７】図６の空中線支持装置の平面図。
【符号の説明】
１            コンクリートポール型基地局
２            基礎体
３            コンクリートポール
４            空中線支持装置
５            空中線
８            ベース金具
９            空中線支持リング
１０            空中線取付けブラケット
１１            ネジ軸
２１            空中線支持装置
２２            支柱
２３            ベース金具
【図１】
2005026839.tif 000003
【図２】
2005026839.tif 000004
【図３】
2005026839.tif 000005
【図４】
2005026839.tif 000006
【図５】
2005026839.tif 000007
【図６】
2005026839.tif 000008
【図７】
2005026839.tif 000009
【手続補正書】
【提出日】平成15年6月30日(2003.6.30)
【手続補正１】
【補正対象書類名】図面
【補正対象項目名】全図
【補正方法】変更
【補正の内容】
【図１】
2005026839.tif 000010
【図２】
2005026839.tif 000011
【図３】
2005026839.tif 000012
【図４】
2005026839.tif 000013
【図５】
2005026839.tif 000014
【図６】
2005026839.tif 000015
【図７】
2005026839.tif 000016